(57)【要約】【目的】高齢者、障害者、幼児などでも簡単に片手で引き出すことができ、使用勝手に優れ製造過程においては環境問題の改善、資源保護を目的とした新規な構成のトイレットペーパー及び該トイレットペーパーを収納するトイレットペーパー収納ボックスを提供する。【構成】水溶性の用紙１ａ〜１ｃを複数枚重ねたものを折り畳んで適当な大きさの単位用紙６とし、多数の該単位用紙を交互に反対向きにして折り込んだ状態にして積み重ねて用紙束７としてトイレットペーパーに使用する。これを専用ホルダー２０に収納して、取っ手２４などを備えた扉２５のペーパー引出口２６からポップアップ方式で順次に単位用紙を引き出すことができる。【選択図】図１
2006311872.tif 000002
【特許請求の範囲】
【請求項１】
水溶性の薄い用紙を複数枚重ね、または水溶性の薄い用紙を表裏面とし、その間には、水溶性の多少厚みがあり無漂白で柔らかい用紙を複数枚重ねたサンドイッチ構造とし、適当な長さで切断後、四隅部分を予め任意の形に切除し、またはそのままの状態で折り畳んで適当な大きさの単位用紙とし、多数の該単位用紙を交互に反対向きにして折り込んだ状態にして積み重ねて用紙束としたことを特徴とするトイレットペーパー。
【請求項２】
請求項１の用紙束を水溶性の結束具で結束したことを特徴とするトイレットペーパー。
【請求項３】
請求項１の用紙束を紙箱やビニール袋などの梱包体で梱包し、梱包体に形成したペーパー引出口から単位用紙を順次にポップアップ方式で引き出し可能としたことを特徴とするトイレットペーパー。
【請求項４】
請求項３のトイレットペーパーにおいて、梱包体には予め小さな切り取り口と該切り取り口を囲むミシン目が設けられ、切り取り口を引くことによりミシン目に沿って破れて前記引出口が形成されることを特徴とするトイレットペーパー。
【請求項５】
請求項１または２のトイレットペーパーを収容可能な略箱形の本体と、該本体の一面及び任意数の面に開閉可能に設けた取っ手などを備えた扉と、該扉を含む壁面側以外の面に設けたペーパー引出口とを備えた専用ホルダーであり、扉を閉めた状態で本体に収容したトイレットペーパーを単位用紙毎に順次にポップアップ方式でペーパー引出口から引き出し可能であることを特徴とするトイレットペーパー収納ボックス。
【請求項６】
請求項５において、壁に既設のロール状トイレットペーパー用ホルダーの壁設置用ネジ穴に対応した配列及び個数の壁設置用ネジ穴が専用ホルダーの本体後面に設けられ、該既設のトイレットペーパー用ホルダーを取り外して、該本体後面の壁設置用ネジ穴を用いてネジなどで壁に固定できるようにしたことを特徴とするトイレットペーパー収納ボックス。
【請求項７】
請求項５において、壁に既設のロール状トイレットペーパー用ホルダーと壁との間に差し込み可能な補助具と、この補助具に対して専用ホルダーを吊り下げるための吊り下げ具とを有し、該既設のトイレットペーパー用ホルダーを残したままその下方に任意数の専用ホルダーを配置可能にしたことを特徴とするトイレットペーパー収納ボックス。
【請求項８】
請求項５において、壁に既設のロール状トイレットペーパー用ホルダーの壁設置用ネジ穴に対して任意に穴を開けるか、そのネジ穴に対応した配列及び個数の壁設置用ネジ穴を備えた取付補助板を専用ホルダーの本体後面と一体または別体で有しており、該ロール状トイレットペーパー用ホルダーの壁設置用ネジ穴及び該取付補助板の壁設置用ネジ穴を用いてネジなどで該ロール状トイレットペーパー用ホルダー及び該取付補助板を壁に固定すると共に、該取付補助板に任意数の専用ホルダーを任意手段で取り付けることを特徴とするトイレットペーパー収納ボックス。
【発明の詳細な説明】
【技術分野】
【０００１】
本発明は、主としてトイレで使用するトイレットペーパー製造過程における環境問題の改善及び資源保護を目的とした新規な形態のトイレットペーパー、並びにこのトイレットペーパーを収納するトイレットペーパー収納ボックスに関する。
【背景技術】
【０００２】
現在、トイレットペーパーとしては水溶紙を有芯または無芯にてロール状に巻いたロール紙が主流であり、その中空芯部に可動レバーを挿入して回転可能に支持する形式のトイレットペーパーホルダーと共に広く使用されている。
【特許文献１】特開２００２−３２８０５７号公報
【発明の開示】
【発明が解決しようとする課題】
【０００３】
ところが、トイレットペーパーホルダーに収容されたロール状のトイレットペーパーを引き出した後に所望の長さで切る作業は必ずしも容易ではなく、特に片手での作業は困難である。また、トイレットペーパーは一般にきわめて薄いため、所望の長さを引き出して切った後に必要に応じて折り畳んで使用する必要があり、この折り畳みの操作も片手で行うことは容易ではない。このため、高齢者や障害者、幼児などにとっては使い勝手の悪いものであり、また、幼児を抱えたままでの片手操作も困難であった。
【０００４】
さらには、ロール状のトイレットペーパーを引き出してカバー先端で切ると、次に使用する人にとって切り口が分かりにくいという問題があった。この問題はいわゆる三角折りを行うことによって解決可能である。三角折りは、トイレットペーパーを切った後に若干の長さを引き出してその引き出した部分を先端が尖るように三角形状に折ることであり、元来はホテルなどで清掃員が清掃済みであることの印として付けていたものであるが、これを使用の都度行っておけば、次に使用する人は三角折りの部分を容易に引き出すことができる。しかしながら、反面、この作業は手を洗っていない状態で行われることが多いため、不衛生であると感じられることもあり、特に外国人には嫌われる行為となっている。
【０００５】
このような課題を解決しようとする試みも数多く提案されているが、そのほとんどはロール状のトイレットペーパーやそのホルダーを前提とした部分的な改良であり、これらの既存製品から脱却して使用者が望む根本的な要求を満たそうとする提案は少ない。
【０００６】
また、紙は一般的に再利用率が高い製品であり、代表的なものとしては新聞、雑誌、コピー用紙、牛乳パックなどが幅広く再利用されている。使用済みの紙は、回収され分別後不純物を取り除き消毒や漂白などの工程を経て、再生紙資源としてまた新たに新聞、雑誌、コピー用紙、名刺、トイレットペーパーなどに二次利用される。ところが、トイレットペーパーにおいては、二次、三次利用が不可能とされており、最終的には下水処理場などで処分された後特殊な工程を経て埋め立て地用のブロックなどに利用されるに止まっているのが現状である。トイレットペーパーには、その使用目的からして、木材から加工したばかりの紙である純粋パルプ紙を使用する必要性はない。欧州のほとんどの国では再生紙利用が当たり前で、漂白処理においても漂白によって引き起こす可能性がある環境汚染を低減すべく無漂白または軽微な漂白で済ましている。森林伐採、化学薬品使用が原因での森林破壊、土壌、河川汚染。それらが元と考えられる自然環境破壊、地球温暖化が更に進む中、先進国である日本国民はもとより、トイレットペーパー文化圏の人々は、限りある資源の有効利用及び化学薬品使用の低減に積極的に取り組まなければならない。私たちは誰でも毎日のようにトイレットペーパーなどを使用する。二次利用が難しいとされるトイレットペーパーこそ、私たちが身近に取り組める環境問題の改善、資源保護活動であるが、紙の有効利用及び化学薬品使用の低減が提案されることは少ない。
【０００７】
したがって、本発明の課題は、環境問題の改善、資源保護を目的とし、限りある資源の有効利用及び化学薬品使用の低減策を積極的に取り組んだ構造で、高齢者、障害者、幼児、介護者、看護士などでも簡単に片手で引き出すことができ、幼児を抱えたままでの片手操作も容易であり、引き出した後の折り畳みが不要であるかまたは比較的簡単に行うことができ、引き出した後には自動的に先端が若干引き出されていて次に使用する人にも便利なような新規な構成のトイレットペーパー及び該トイレットペーパーを収納するトイレットペーパー収納ボックスを提供することにある。
【課題を解決するための手段】
【０００８】
かかる課題を解決するため、請求項１に係る本発明のトイレットペーパーは、水溶性の薄く柔らかい用紙を複数枚重ね、または水溶性の薄く柔らかい用紙を表裏面とし、その間には、水溶性の多少厚みがあり無漂白で柔らかい用紙を複数枚重ねたサンドイッチ構造とし、適当な長さで切断後、四隅部分を予め任意の形に切除し、またはそのままの状態で折り畳んで適当な大きさの単位用紙とし、多数の該単位用紙を交互に反対向きにして折り込んだ状態にして積み重ねて用紙束としたことを特徴とする。
【０００９】
請求項２に係る本発明のトイレットペーパーは、請求項１の用紙束を水溶性の結束具で結束したことを特徴とする。
【００１０】
請求項３に係る本発明のトイレットペーパーは、請求項１の用紙束を紙箱やビニール袋などの梱包体で梱包し、梱包体に形成したペーパー引出口から単位用紙を順次にポップアップ方式で引き出し可能としたことを特徴とする。
【００１１】
請求項４に係る本発明は、請求項３のトイレットペーパーにおいて、梱包体には予め小さな切り取り口と該切り取り口を囲むミシン目が設けられ、切り取り口を引くことによりミシン目に沿って破れて前記引出口が形成されることを特徴とする。
【００１２】
請求項５に係る本発明のトイレットペーパー収納ボックスは、請求項１または２のトイレットペーパーを収容可能な略箱形の本体と、該本体の一面及び任意数の面に開閉可能に設けた取っ手などを備えた扉と、該扉を含む壁面側以外の面に設けたペーパー引出口とを備えた専用ホルダーであり、扉を閉めた状態で本体に収容したトイレットペーパーを単位用紙毎に順次にポップアップ方式でペーパー引出口から引き出し可能であることを特徴とする。
【００１３】
請求項６に係る本発明は、請求項５のトイレットペーパー収納ボックスにおいて、既設のロール状トイレットペーパー用ホルダーの壁設置用ネジ穴に対応した配列及び個数の壁設置用ネジ穴が専用ホルダーの本体後面に設けられ、該既設のトイレットペーパー用ホルダーを取り外して、該本体後面の壁設置用ネジ穴を用いてネジなどで壁に固定できるようにしたことを特徴とする。
【００１４】
請求項７に係る本発明は、請求項５のトイレットペーパー収納ボックスにおいて、壁に既設のロール状トイレットペーパー用ホルダーと壁との間に差し込み可能な補助具と、この補助具に対して専用ホルダーを吊り下げるための吊り下げ具とを有し、該既設のトイレットペーパー用ホルダーを残したままその下方に任意数の専用ホルダーを配置可能にしたことを特徴とする。
【００１５】
請求項８に係る本発明は、請求項５のトイレットペーパー収納ボックスにおいて、壁に既設のロール状トイレットペーパー用ホルダーの壁設置用ネジ穴に対して任意に穴を開けるか、そのネジ穴に対応した配列及び個数の壁設置用ネジ穴を備えた取付補助板を専用ホルダーの本体後面と一体または別体で有しており、該ロール状トイレットペーパー用ホルダーの壁設置用ネジ穴及び該取付補助板の壁設置用ネジ穴を用いてネジなどで該ロール状トイレットペーパー用ホルダー及び該取付補助板を壁に固定すると共に、該取付補助板に任意数の専用ホルダーを任意手段で取り付けることを特徴とする。
【発明の効果】
【００１６】
本発明のトイレットペーパーは、水溶性の薄く柔らかい用紙を複数枚重ね、または水溶性の薄い用紙を表裏面とし、その間には、水溶性の多少厚みがあり無漂白で柔らかい用紙を複数枚重ねたサンドイッチ構造とし、適当な長さで切断後、四隅部分を予め任意の形に切除し、またはそのままの状態で折り畳んで適当な大きさの単位用紙とし、これを多数交互に反対向きにして折り込んだ状態にして積み重ねて用紙束としてあり、従来のロール状トイレットペーパーやティッシュのように、引き出して適当な長さで切断後折り畳んでから、または必要な枚数引き出した後に重ね合わせてから使うのではなく、用紙束の最も上に積み重ねられている単位用紙からポップアップ形式で取り出してそのまま使うものであるため、誰でも簡単に片手で取り出すことができ、取り出し後の切断や折り畳み、もしくは必要な枚数を引き出した後に重ね合わせるなどの手間も不要である。
【００１７】
取り出した後はいつでも（単位用紙がなくならない限り）次の単位用紙がペーパー引出口から部分的に突出した状態になっているので、次に使用する人は簡単に引き出すことができる。トイレに設置するほか単独で要介護者、乳幼児、ペットなどのそばに置くことやトイレの棚などにおいて使用することもでき、バッグなどに入れて持ち運びすることも可能であることから、登山やキャンプの時にも携帯が可能である。
【００１８】
本発明のトイレットペーパーに使用する用紙は、水溶性の再生紙で表裏面のみ肌触りの良い柔らかい漂白処理を低度に抑えたものか無漂白のものでも良く、間に重ねる用紙は、水溶性の多少厚みがある無漂白で柔らかいものを使用することや、拭き取りなどにほとんど使用されない四隅部分を予め切除した場合に再利用に供するようにするほか、芯有りロール状トイレットペーパーに使用される心材が不要である。本発明の結束帯はトイレに流せるので心材のようなゴミが発生しない。限りある資源の有効利用で資源保護及び化学薬品使用やゴミの低減で環境問題に努めることができる。
【００１９】
本発明のトイレットペーパーに使用する再生紙は、純粋パルプ紙より原紙価格が安価である。拭き取りなどにほとんど使用されない四隅部分を予め切除した場合、年間製造総量の５〜１０％程を再利用することができる。構造が異なるため心材は不要であることから心材費が、また、梱包用の段ボール箱の大きさも、隙間を省くことで総面積が縮小できるため、段ボール箱の材料費の数％、それらの年間材料費を削減可能である。間に重ねる用紙や場合によっては表裏面の用紙を無漂白とすることで、漂白作業工程時の化学薬品代及び電力費、燃料費、人件費を始め都度行われる濯ぎ用水費や作業に要する時間が不要。ロール状トイレットペーパーのほとんどに施されるミシン目加工工程も不要。このトイレットペーパーの製造過程で行われる任意数の紙を重ね合わせることや、四隅部分の切除など新規工程分の諸費用や時間を差し引いても、製造コストの削減が可能となる。また、ロール状トイレットペーパーは、その形状から隙間無く整理しにくく重量の割に梱包容積が大きく、運搬用の車、船、飛行機庫内や物流センタ、店舗の倉庫内、陳列スペース及びトイレ室内の場所を余分に取っ手しまうが、本発明のトイレットペーパーは、芯が無く方形体なので限りなく隙間を省き無駄がなく、一度に運搬、貯蔵、陳列できる量を増加すること、また、トイレ室内の整理整頓も可能です。このように容積を縮小することで運搬費の削減、スペースの有効利用ができて有益である。
【００２０】
このトイレットペーパー専用のホルダーは、既設のロール状トイレットペーパーホルダーと同様に単独で設置するほか、該既設のロール状トイレットペーパーホルダーに代えて、またはそれと共に、設置することが可能な構成を備えているので、必要に応じて本発明のトイレットペーパーと従来のロール状トイレットペーパーとを選択して使用することができる。
【発明を実施するための最良の形態】
【００２１】
図１には本発明のトイレットペーパーの作成手順が示されている。まず、資源の有効利用の観点から、使用するすべての用紙原紙について再生紙を使用することが好ましく、用紙原紙はほどよい強度が必要なことから、従来のトイレットペーパーと同様に引き出す方向に対して水平の繊維方向持つことが望ましい。怪我、病気などでデリケートな使用者がいることも考慮して、図１（Ａ）に示すように、表裏層となる用紙原紙１ａ，１ｃには肌触りの柔らかい材質のたとえば市販のロール状トイレットペーパー用に加工されたとものと同等なものを用い、その間に多少厚みがあり無漂白で柔らかい原紙１ｂを挟んだサンドイッチ構造を採用する。原紙１ｂの枚数は任意であり、厚みによって変わるが一般に１〜５枚程度が適当である。使用者の用途や好みに合わせて数パターンのものを作成しておくと良い。あるいは、用紙原紙１ａ，１ｃと同等の水溶性の柔らかい用紙原紙を複数枚重ねても良い。この場合の用紙原紙の枚数は任意であるが、厚いものを数枚重ねたものより、薄いものを複数枚重ね間に空気を含んだ方が拭き心地が良いことから一般に３〜１０枚程度が適当である。
【００２２】
なお、いずれの場合においても、少なくとも表裏層となる用紙原紙１ａ，１ｃには型押しロール２ａ，２ｃにより型押し加工を施して肌触りを向上させておくことが好ましい。図１（Ａ）では中間の用紙原紙１ｂにも型押しロール２ｂにより型押し加工が施されている。また、必要に応じて、表面側及び／または裏面側からラインエンボスロール３ａ，３ｂにより幅方向両端にラインエンボスによるずれ防止加工を施しておく。
【００２３】
次に、図１（Ｂ）に示すように、用紙原紙１ａ，１ｂ，１ｃを重ね合わせて得た積層紙４を適当な長さにカットする。さらに、拭き取りなどにほとんど使用されない四隅部分４ａ，４ｂ，４ｃ，４ｄを任意の形に切除する。この場合、適当な長さにカットする工程と四隅部分４ａ，４ｂ，４ｃ，４ｄを切除する工程を同時に行うと作業効率が良い。切除部はゴミではなく再利用に供することにより資源の有効利用に資する。なお、四隅部分４ａ，４ｂ，４ｃ，４ｄを切除せず、適当な長さにカットしたままの状態で次工程に移行しても良い。
【００２４】
次に、図１（Ｃ）に示すように、このカット積層紙５を横に一回折り畳み、または、必要に応じて、縦横に数回程度折り畳み、軽くプレスをかけて、折り目が付いた折り畳み状態の単位用紙６とする。この単位用紙６はトイレットペーパーとして使用の際の一単位（使用上の一枚）となるものであり、長辺が２０〜２５ｃｍ程度、短辺が１０〜１５ｃｍ程度の方形状であって、最終の折り目が短辺に沿って設けられていることが好ましい。このようにして多数の単位用紙６を作成して用意しておく。
【００２５】
次に、図１（Ｄ）に示すように、単位用紙６を交互に反対向きにして折り込んで積み重ね、軽くプレスをかけて、図１（Ｅ）に示すような用紙束７とする。用紙束７の表面または表裏面だけを三角折り８にしておいても良い。
【００２６】
この用紙束７を、図１（Ｆ）に示すような水溶性の帯紙などの結束具９で結束して、詰替用トイレットペーパー１０とする。この詰替用トイレットペーパー１０は、結束具９を破ってから後述の専用ホルダー２０に収納し、または専用ホルダー２０に収納した後に結束具９を破って、ポップアップ方式で単位用紙６を一枚または数枚ずつ手で掴み、順次に引き出して使用することができる。結束具９は水溶紙であるので、破った結束具９はそのままトイレに流すことができる。
【００２７】
また、図１（Ｇ）に示すように用紙束７を紙箱やビニール袋などの梱包体１１で梱包し、梱包体１１のペーパー引出口から単位用紙６を順次にポップアップ方式で引き出して使用することもできるので、特に要介護者、乳幼児、ペットなどの世話をするためにそばに置いたり、トイレの棚などに置いて使用することもできる。また、バッグなどに入れて持ち運びすることも可能である。この場合にも、梱包体１１で梱包された用紙束７を後述の専用ホルダーに収容してポップアップ方式で単位用紙６を順次に引き出して使用することができるほか、特に梱包体１１として紙箱やビニール袋などを用いた場合、その一側面に予め、手指を入れることができる程度の小さな切取口１２と、この切取口１２を囲む略方形状にミシン目１３を設けておくことが好ましく、切取口１２を引っ張ることによりミシン目１３に囲まれた領域を切除して前記引出口を形成することができる。
【００２８】
図２には、図１（Ｆ）で得られた詰替用トイレットペーパー１０を専用ホルダー２０に収容して使用に供する手順が示されている。専用ホルダー２０は後面２２以外の面に開閉可能な取っ手２４などを備えた扉２５を有する箱形の本体２１からなる容器であり、詰替用トイレットペーパー１０を立て掛けるなどして、後面２２以外の面（扉２５を含む）に設けたペーパー引出口２６に対して平行に収納する。図２に示すように前面開口の本体２１にペーパー引出口２６を有する扉２５を開閉可能に設けた場合は、該詰替用トイレットペーパー１０の膨張力を利用して本体底面２３上に立てた状態または本体後面２２に立て掛けた状態で収容可能である。専用ホルダー２０を構成する箱形の本体２１及び扉２５はいずれも樹脂板や金属板などの任意材料で形成することができる。詰替用トイレットペーパー１０を立て掛けた状態で専用ホルダー２０に収納し、扉２５を閉めた状態にして、結束具９を破って、ペーパー引出口２６から単位用紙６を順次にポップアップ方式で引き出して使用することができる。結束具９を破った後に詰替用トイレットペーパー１０を立て掛けた状態で専用ホルダー２０に収納しても良い。詰替用トイレットペーパー１０の存在及びその消耗具合を外部から視認することができるように、専用ホルダー２０の少なくとも一部（扉２５を含む）が透明または半透明であることが好ましい。なお、ペーパー引出口２６は円形に示されているが、専用ホルダー２０に収納した詰替用トイレットペーパー１０から単位用紙６を順次にポップアップ方式で引き出すことが容易であれば、楕円形・方形などの任意形状であって良く、その大きさも任意に設定される。また、ペーパー引出口２６から単位用紙６がスムーズに引き出されるように引出口２６の縁にＲ加工を施したり、シリコン・ビニールなどの低摩擦材料からなるフィルムを貼着することが好ましい。
【００２９】
図３ないし図６はこの専用ホルダー２０、すなわち本発明のトイレットペーパー収納ボックスの設置例を示す。図３に示す設置例では、現在広く使用されているロール状トイレットペーパー用のホルダー４０が有する壁設置用ネジ穴４１に対応した配列及び個数（必ずしも同数でなくても良い）の壁設置用ネジ穴２７が専用ホルダー２０の本体後面２２に設けられており、ロール状トイレットペーパー用ホルダー３０が壁に既設されている場合に、これを取り外して、本体後面２２の壁設置用ネジ穴２７を用いてネジなどの固定具（図示せず）で壁に固定できるように構成されている。
【００３０】
図４に示す設置例では、ロール状トイレットペーパー用ホルダー４０が壁に既設されている場合に、該ホルダーと壁との間に差し込み可能な補助具２８と、この補助具２８に対して専用ホルダー２０を吊り下げるための紐や鎖などの吊下具２９とを有しており、該既設のロール状トイレットペーパー用ホルダー４０を取り外すことなくそのまま残して、その下方に専用ホルダー２０を配置できるように構成されている。補助具２８はたとえばスチールなどの金属板を折り曲げ加工して形成することができ、既設のロール状トイレットペーパー用ホルダー４０と壁との間に差し込まれる平板部２８ａの上端部を前方に折り曲げ・折り返して吊り下げ具２９を脱落不能に挿通させる係止部２８ｂを備えている。また、専用ホルダー２０の上端にも吊り下げ具２９を脱落不能に挿通させるための任意手段（図示せず）が設けられている。このような設置例によると、現在広く使用されているロール状トイレットペーパーと本発明による使い勝手の良いトイレットペーパーとを使用者が選択して使用することができ、多様な用途に適応可能である。
【００３１】
図５に示す設置例では、ロール状トイレットペーパー用ホルダー４０の壁設置用ネジ穴４１（図３参照）に対応した配列及び個数（必ずしも同数でなくても良い）の壁設置用ネジ穴３１を備えた樹脂板などからなる取付補助板３０を有しており、ロール状トイレットペーパー用ホルダー４０が壁に既設されている場合に、これを一旦取り外した後、壁設置用ネジ穴３１，４１が整列するようにして取付補助板３０の上に重ねて、これらネジ穴３１，４１を用いてネジなどの固定具（図示せず）で取付補助板３０を壁に固定すると同時に、一旦取り外したロール状トイレットペーパー用ホルダー４０を再設置できるように構成されている。また、このようにして壁にロール状トイレットペーパー用ホルダー４０と共に取り付けられた取付補助板３０は、その下方域に、専用ホルダー２０を取り付けるための任意手段（図示せず）を備えており、壁設置用ネジ穴３１，４１を用いて設置したロール状トイレットペーパー用ホルダー４０の下方に専用ホルダー２０を設置できるようになっている。取付補助板３０の下方に予め専用ホルダー２０を取り付けておいても良い。この設置例においても、現在広く使用されているロール状トイレットペーパーと本発明による使い勝手の良いトイレットペーパーとを使用者が選択して使用することができ、多様な用途に適応可能である。
【００３２】
図６に示す設置例は、図５に示す設置例と基本的に同様であるが、樹脂板などからなる取付補助板３０の下方域に、専用ホルダー２０を取り付けるための任意手段を複数並列的に備えており、壁設置用ネジ穴３１，４１を用いて設置したロール状トイレットペーパー用ホルダー４０の下方に複数（図６では２つ）の専用ホルダー２０Ａ，２０Ｂを並置できるようになっている。このような設置例によれば、図５の設置例と同様にロール状トイレットペーパーと本発明のトイレットペーパーとを使用者が選択使用することを可能にすると共に、さらに、複数設置される専用ホルダー２０Ａ，２０Ｂに異なるタイプのトイレットペーパーを収納させることができるので、より高い利便性を高めることができる。たとえば、一方の専用ホルダー２０Ａには用紙原紙（１ａ，１ｃ）の間に（１ｂ）を３枚重ねて合計５枚重ねとした単位用紙３の集合体としての詰替用トイレットペーパー５を収納するとともに、他方の専用ホルダー２０Ｂには用紙原紙（１ａ〜１ｃ）を３枚重ねにした単位用紙３の集合体としての詰替用トイレットペーパー５を収納させておけば、前者を大便用、後者を幼児用や小便用として使い分けることができる。
【００３３】
なお、図４に示す設置例では既設のロール状トイレットペーパー用ホルダー４０の下方に一つの専用ホルダー２０を設置しているが、補助具２８をより幅広に構成すれば、既設のロール状トイレットペーパー用ホルダー４０の下方に複数の専用ホルダー２０を並置することも可能である。この場合にも、上記と同様に、複数の専用ホルダー２０に異なるタイプの本発明のトイレットペーパーを収納して用途や使用者による使い分けができるように構成することができる。
【００３４】
以上に説明した実施形態ではいずれも本発明のトイレットペーパーを収納する専用ホルダー２０をロール状トイレットペーパー用ホルダー４０とは別体として構成し、単独で設置して使用し、または既設のロール状トイレットペーパー用ホルダー４０に代えて（図３）、あるいはロール状トイレットペーパー用ホルダー４０と共に（図４〜図６）使用できるようにしているが、図７に示すように、専用ホルダー２０をロール状トイレットペーパー用ホルダー４０と一体にした構成とすることもできる。図７（Ａ）では専用ホルダー２０をロール状トイレットペーパー用ホルダー４０の上に配置して一体型ホルダーとし、図７（Ｂ）では専用ホルダー２０をロール状トイレットペーパー用ホルダー４０の横に配置して一体型ホルダーとしているが、勿論これらの配置に限定されるものではなく、また、既述のように用途や使用者による使い分けを可能にするために異なるタイプの本発明のトイレットペーパーを収納する複数の専用ホルダー２０を上下または左右に隣接させて、またはロール状トイレットペーパー用ホルダー４０を挟んで上下または左右に配置しても良く、様々なバリエーションを取ることが可能である。
【００３５】
専用ホルダー２０は前述のように金属板や樹脂板などの任意材料で形成されており、その任意の面または箇所に点字を含む取扱説明や写真・画像などを印刷または表示することができる。また、専用ホルダー２０の一部を二重壁構造にしてその隙間に取扱説明や写真・画像などを印刷または表示した紙や板を挿入可能にしても良い。これにより、特に複数の専用ホルダー２０に異なるタイプの本発明のトイレットペーパーを収納した場合に各々の用途を明示することができ、また、写真や画像などを印刷・表示することによりインテリア性を高めることができる。
【図面の簡単な説明】
【００３６】
【図１】本発明のトイレットペーパーの作成手順を示す説明図である。
【図２】詰替用トイレットペーパーを専用ホルダーに収容して使用に供する手順を示す説明図である。
【図３】本発明のトイレットペーパー収納ボックスの設置例を示す図である。
【図４】本発明のトイレットペーパー収納ボックスの他の設置例を示す図である。
【図５】本発明のトイレットペーパー収納ボックスのさらに他の設置例を示す図である。
【図６】本発明のトイレットペーパー収納ボックスのさらに他の設置例を示す図である。
【図７】本発明のトイレットペーパー収納ボックスをロール状トイレットペーパー用ホルダーと一体に構成した実施形態を示す図である。
【符号の説明】
【００３７】
１ａ，１ｂ，１ｃ  用紙原紙
２ａ，２ｂ，２ｃ  型押しロール
３ａ，３ｂ  ラインエンボスロール
４  積層紙
４ａ，４ｂ，４ｃ，４ｄ  切除する四隅部分
５  カット積層紙
６  単位用紙
７  用紙束
８  三角折り部分
９  結束具
１０  詰替用トイレットペーパー
１１  梱包体
１２  切取口
１３  ミシン目
２０  専用ホルダー（トイレットペーパー収納ボックス）
２１  本体
２２  本体後面
２３  本体底面
２４  取っ手
２５  扉
２６  ペーパー引出口
２７  専用ホルダー後面の壁設置用ネジ穴
２８  補助具
２９  吊り下げ具
３０  取付補助板
３１  取付補助板後面の壁設置用ネジ穴
４０  ロール状トイレットペーパー用ホルダー
４１  ロール状トイレットペーパー用ホルダーの壁設置用ネジ穴
【図１】
2006311872.tif 000003
【図２】
2006311872.tif 000004
【図３】
2006311872.tif 000005
【図４】
2006311872.tif 000006
【図５】
2006311872.tif 000007
【図６】
2006311872.tif 000008
【図７】
2006311872.tif 000009